(57)【要約】【課題】既設、あるいは新築のいずれの建造物にも簡単に取り付けることができる耐震装置を提供する。【解決手段】建造物Ｈの基礎１から梁２までの高さを有する３本のＬ型鋼材３を、該各Ｌ型鋼材３を構成する垂直片４と折曲片５とを重合して連結金具６を介して十字状に連結固定して、１つのコーナー部に、前記垂直片４と折曲片５が重合しないＬ型非重合コーナー部７を設けて隅部用補強部材Ｒ１を形成すると共に、Ｌ型鋼材２３により入り隅部用補強部材Ｒ２を形成し、前記隅部用補強部材Ｒ１の底縁部に突設されたプレート８を基礎１に一体に連結固定して、建造物Ｈの隅部の仕上げ材１０と前記Ｌ型非重合コーナー部７間にゴム板１１を配設して、複数本の木ねじ１２により、隅部用補強部材Ｒ１と隅部の柱材１３とを一体に連結固定する。【選択図】図３
2005083145.tif 000002
【特許請求の範囲】
【請求項１】
建造物の基礎部分から梁までの高さを有する３本のＬ型鋼材を、該各Ｌ型鋼材を構成する垂直片と折曲片とを重合して連結金具を介して十字状に連結固定して、１つのコーナー部に、前記垂直片と折曲片が重合しないＬ型非重合コーナー部を設けて隅部用補強部材を形成すると共に、Ｌ型鋼材により入り隅部用補強部材を形成し、前記隅部用補強部材の底縁部に突設したプレートを基礎に一体に連結固定して、建造物の隅部の仕上げ材と前記Ｌ型非重合コーナー部間にゴム板を配設して、複数本の木ねじにより、隅部用補強部材と隅部の柱材とを一体に連結固定する一方、
前記入り隅部用補強部材の底縁部に突設したプレートを基礎に一体に連結固定すると共に、該入り隅部用補強部材を構成するＬ型鋼材と入り隅部の仕上げ材間にゴム板を配設して、複数本の木ねじにより、前記入り隅部用補強部材と入り隅部の柱材とを一体に連結固定することを特徴とする建造物の耐震装置。
【請求項２】
建造物の基礎部分から梁までの高さを有する３本のＬ型鋼材を、該各Ｌ型鋼材を構成する垂直片と折曲片とを重合して連結金具を介して十字状に連結固定して、１つのコーナー部に、前記垂直片と折曲片が重合しないＬ型非重合コーナー部を設けて隅部用補強部材を形成すると共に、Ｌ型鋼材により入り隅部用補強部材を形成し、前記隅部用補強部材の底縁部に突設したプレートを基礎に一体に連結固定して、建造物の隅部の仕上げ材と前記Ｌ型非重合コーナー部間にゴム板を配設して複数本の木ねじにより、隅部用補強部材と隅部の柱材とを一体に連結固定する一方、
前記入り隅部用補強部材を構成するＬ型鋼材と入り隅部の仕上げ材間にゴム板を配設して、複数本の木ねじにより、前記入り隅部用補強部材と入り隅部の柱材とを一体に連結固定することを特徴とする建造物の耐震装置。
【請求項３】
建造物の基礎部分から梁までの高さを有する３本のＬ型鋼材を、該各Ｌ型鋼材を構成する垂直片と折曲片とを重合して連結金具を介して十字状に連結固定して、１つのコーナー部に、前記垂直片と折曲片が重合しないＬ型非重合コーナー部を設けて隅部用補強部材を形成すると共に、Ｌ型鋼材により入り隅部用補強部材を形成し、前記隅部用補強部材の底縁部に突設したプレートを基礎に一体に連結固定して、建造物の隅部の仕上げ材と前記Ｌ型非重合コーナー部間にゴム板を配設して複数本の木ねじにより、隅部用補強部材と隅部の柱材とを一体に連結固定することを特徴とする建造物の耐震装置。
【請求項４】
建造物の基礎部分から梁までの高さを有する３本のＬ型鋼材を、該各Ｌ型鋼材を構成する垂直片と折曲片とを重合して連結金具を介して十字状に連結固定して、１つのコーナー部に、前記垂直片と折曲片が重合しないＬ型非重合コーナー部を設けて隅部用補強部材を形成すると共に、Ｌ型鋼材により入り隅部用補強部材を形成し、前記隅部用補強部材の底縁部に突設したプレートを基礎に一体に連結固定して、建造物の隅部の仕上げ材と前記Ｌ型非重合コーナー部間にゴム板を配設して複数本の木ねじにより、隅部用補強部材と隅部の柱材とを一体に連結固定する一方、
前記連結金具のうち、上下端部の連結金具として、先端にリング部を備えたリングボルトを使用すると共に、建造物の外壁面の巾方向半分程度の位置の梁と基礎に、掛止部材を備えた掛止プレートを連結固定し、前記リングボルトの各リング部と、前記各掛止プレートの掛止部材とに補強線条の両端を掛止固定して、該補強線条を交差して配設することを特徴とする建造物の耐震装置。
【発明の詳細な説明】
【技術分野】
【０００１】
本発明は、既設、あるいは新築の木造モルタル塗り建物、軽量鉄骨建物、あるいはプレハブ建物等の建造物に設置することができる建造物の耐震装置に関するものである。
【背景技術】
【０００２】
２階建て以上の建造物、または平屋建ての建造物のいずれの建造物にも取り付けることができる耐震装置としては、特開２００３−９７０８３号に開示されたものが公知である。
【特許文献１】特開２００３−９７０８３号公報
【発明の開示】
【発明が解決しようとする課題】
【０００３】
特許文献１に開示された耐震装置は、建造物の基礎から外方に離れた位置の地盤面上に複数本所定間隔を有して立設され、上方部に建造物側へ屈曲した湾曲面を有する長尺型鋼材の先端部を、建造物の外周側面の胴差し、または敷きけたに固定して形成されている。
【０００４】
前記特許文献１に開示された耐震装置は、長尺型鋼材を建造物の基礎から離れた位置の地盤面上に立設する必要があるため、長尺型鋼材を立設するための余裕地盤がなければならず、建造物が立て込んだ場所では施工することができないという課題があった。
【課題を解決するための手段】
【０００５】
本発明は、基礎に下部を固定して立設された補強部材を、木造モルタル塗り建物、軽量鉄骨建物、あるいはプレハブ建物等の建造物の隅部および入り隅部の両方に、または隅部に接して柱材に一体に連結固定することを最も主要な特徴とする。    
【発明の効果】
【０００６】
本発明の耐震装置は、従来のような余裕地盤がなくても、既設または新築の建造物の隅部および入り隅部の両方に、または隅部にＬ型鋼材より成る補強部材を柱材に一体に連結固定することにより、地震による建造物の横方向の揺れ、および上下震動を前記補強部材により吸収して、建造物の揺れおよび震動を弱めて耐震効果を得ることができる。
【０００７】
また、補強部材は市販されているＬ型鋼材を使用することができるので、製造原価が安く、且つ構造も極めて簡単で、更に設置工事も容易であるので、設置コストが安い。
【発明を実施するための最良の形態】
【０００８】
基礎に下部を固定された補強部材を、建造物の隅部および入り隅部の両方に、または隅部に接して柱材に一体に連結固定することにより、余裕地盤がなくても、既設または新築の建造物の隅部および入り隅部に、または隅部に簡単に連結固定して耐震効果を得ることができる。
【実施例１】
【０００９】
本発明の実施例１を図面に基づいて詳細に説明する。本発明耐震装置の実施例１に示すものは、木造モルタル塗り建物、軽量鉄骨建物、あるいはプレハブ建物等の建造物の隅部および入り隅部に設置されるものであって、既設または新築の２階建て以上の建造物および平屋建ての建造物のいずれにも取り付けることができる。
【００１０】
本発明耐震装置の実施例１に示すものは、建造物Ｈの隅部Ｃに設置する場合と、入り隅部Ｄに設置する場合とで、それぞれその補強部材の形状を異にする。
【００１１】
先ず、建造物Ｈの隅部Ｃに設置する補強部材について説明する。図１・図３に示すように、建造物Ｈの基礎１部分から梁２までの高さを有する３本のＬ型鋼材３を十字状に連結固定して隅部用補強部材Ｒ１が形成される。なお、前記Ｌ型鋼材３は一般に市販されているＬ型鋼材を使用することができる。
【００１２】
前記隅部用補強部材Ｒ１を構成するＬ型鋼材３は、図１に示すように、垂直片４と直角に折曲された折曲片５とを連設して形成されており、該Ｌ型鋼材３より成る第１のＬ型鋼材３ａの折曲片５ａと第２のＬ型鋼材３ｂの折曲片５ｂ、および第２のＬ型鋼材３ｂの垂直片４ｂと第３のＬ型鋼材３ｃの折曲片５ｃをそれぞれ重合して、ボルトおよびナット等の複数本の連結金具６により連結固定すると共に、１つのコーナー部に垂直片と折曲片が重合しない、前記第１のＬ型鋼材３ａの垂直片４ａと第３のＬ型鋼材３ｃの垂直片４ｃより成るＬ型非重合コーナー部７を設けて、横断面十字状の隅部用補強部材Ｒ１が形成される。
【００１３】
前記隅部用補強部材Ｒ１を構成するＬ型鋼材３ａの垂直片４ａとＬ型鋼材３ｃの垂直片４ｃの底縁部にプレート８をそれぞれ突設して、該隅部用補強部材Ｒ１のＬ型非重合コーナー部７を構成する第１のＬ型鋼材３ａの垂直片４ａと、第３のＬ型鋼材３ｃの垂直片４ｃが、建造物Ｈの隅部Ｃに当接できるよう、前記各プレート８を基礎１の外壁面にボルトおよびナット等の複数本の固定金具９により一体に連結固定して、前記隅部用補強部材Ｒ１を立設固定する。
【００１４】
そして、図４に示すように、前記建造物Ｈの隅部Ｃに接するよう立設固定された隅部用補強部材Ｒ１のＬ型非重合コーナー部７を構成する第１のＬ型鋼材３ａの垂直片４ａおよび第３のＬ型鋼材３ｃの垂直片４ｃと、建造物Ｈの仕上げ材１０間に、該各垂直片４ａ，４ｃと同一巾、同一長さに形成されたゴム板１１を配設して、前記各垂直片４ａ，４ｃの外側面部より間隔を有して複数本の木ねじ１２を、前記垂直片４ａ，４ｃ、各ゴム板１１および仕上げ材１０をそれぞれ貫通して隅部Ｃの柱材１３に螺挿して一体に連結固定する。なお、前記隅部用補強部材Ｒ１は、建造物Ｈのすべての隅部Ｃに一体に連結固定する必要はないが、好ましくはすべて隅部Ｃに一体に連結固定することにより、優れた耐震性を保持することができる。また、前記ゴム板１１は、前記垂直片４ａ，４ｃ
が仕上げ材１０に直接接触することを阻止するクッション材としての役目を果たす。
【００１５】
次に、建造物Ｈの入り隅部Ｄに設置する補強部材について説明する。図２・図５に示すように、建造物Ｈの基礎１部分から梁２までの高さを有するＬ型鋼材２３により入り隅部用補強部材Ｒ２が形成される。前記Ｌ型鋼材２３の形状は、前記隅部用補強部材Ｒ１を構成するＬ型鋼材３と同一構成であって、垂直片２４と直角に折曲された折曲片２５を有して形成されている。
【００１６】
前記構成より成る入り隅部用補強部材Ｒ２を構成するＬ型鋼材２３の垂直片２４と折曲片２５の底縁部にプレート２６をそれぞれ突設して、該補強部材Ｒ２の垂直片２４と折曲片２５が、建造物Ｈの入り隅部Ｄに当接できるよう、前記各プレート２６を基礎１の外壁面にボルトおよびナット等の固定金具９により一体に連結固定して、前記入り隅部用補強部材Ｒ２を立設固定する。
【００１７】
そして、図６に示すように、前記建造物Ｈの入り隅部Ｄに接するよう立設固定された入り隅部用補強部材Ｒ２を構成するＬ型鋼材２３の垂直片２４および折曲片２５と、建造物Ｈの仕上げ材１０間に、該垂直片２４および折曲片２５と同一巾、同一長さに形成されたゴム板１１を配設して、前記垂直片２４と折曲片２５との接合隅角部より、間隔を有して複数本の木ねじ１２を、該垂直片２４と折曲片２５、ゴム板１１および仕上げ材１０をそれぞれ貫通して、入り隅部Ｄの柱材２７に螺挿して一体に連結固定する。なお、図中、２８は木ねじ１２が前記接合隅角部から容易に螺挿できるようにした座金である。また、前記ゴム板１１は、前記垂直片２４と折曲片２５が仕上げ材１０に直接接触することを阻止するクッション材としての役目を果たす。
【００１８】
前記隅部用補強部材Ｒ１および入り隅部用補強部材Ｒ２  は、図７に示すように、建造物Ｈの隅部Ｃおよび入り隅部Ｄに設置されるが、図８に示すように、建造物Ｈにおいて入り隅部Ｄのない建造物には、当然ながら前記入り隅部用補強部材Ｒ２は設置できない。また、入り隅部Ｄがある建造物においても、入り隅部用補強部材Ｒ２の使用は任意である。更に、前記図５においては、入り隅部Ｄ部分の基礎１に、入り隅部用補強部材Ｒ２の底縁部にそれぞれプレート２６を突設して一体に連結固定したが、柱材２７のみの補強で充分であれば、前記プレート２６を突設することなく、基礎１への連結固定を省略してもよい。
【００１９】
前記実施例１の作用について説明すると、建造物Ｈの隅部Ｃおよび入り隅部Ｄの両方に、あるいは隅部Ｃに、補強部材Ｒ１・Ｒ２、あるいは補強部材Ｒ１をそれぞれ一体に連結固定することにより、該補強部材Ｒ１・Ｒ２、あるいは補強部材Ｒ１が地震時における建造物Ｈの横方向への揺れおよび上下震動を吸収して地震の被害を防止することができるのである。
【００２０】
次に、本発明耐震装置の実施例２について説明する。実施例２は、前記実施例１の耐震装置に、更に、耐震性を強めた建造物の耐震装置である。従って、図面において実施例２において実施例１と共通する符号は、そのまま使用して説明する。
【００２１】
本発明耐震装置の実施例２においては、図９に示すように、隅部用補強部材Ｒ１を構成する第１のＬ型鋼材３ａの折曲片５ａと第２のＬ型鋼材３ｂの折曲片５ｂ、および第２のＬ型鋼材３ｂの垂直片４ｂと第３のＬ型鋼材３ｃの折曲片５ｃとを連結固定する複数本の連結金具６のうち、上下端部の連結金具６に代えて、先端にリング部３１を備えたリングボルト３２を使用して連結固定して隅部用補強部材Ｒ３を形成する。
【００２２】
そして、図１０に示すように、実施例２における隅部用補強部材Ｒ３を前記実施例１と同様に、建造物Ｈの隅部Ｃに設置すると共に、建造物Ｈの外壁面の巾方向半分程度の位置の梁２と基礎１に、掛止部材３３を備えた掛止プレート３４を連結固定し、前記隅部用補強部材Ｒ３のリングボルト３２の各リング部３１と、前記各掛止プレート３４の掛止部材３３とに、筋交い、ワイヤ等の補強線条３５を交差して配設することができるよう、各補強線条３５の両端のフック部３６を掛止固定する。前記図１０に示すように、補強線条３５を取り付けることにより、窓Ｗ等の開口部があっても、該補強線条３５は邪魔とはならない。
【００２３】
前記実施例２の作用について説明する。実施例２は、実施例１の構成に、更に筋交い、ワイヤ等の補強線条３５が設置されているので、実施例１の耐震装置以上の耐震性を有する。
【図面の簡単な説明】
【００２４】
【図１】本発明建造物の耐震装置の実施例１において、耐震装置を構成する隅部用補強部材の斜視図である。
【図２】本発明建造物の耐震装置の実施例１において、耐震装置を構成する入り隅部用補強部材の斜視図である。
【図３】本発明建造物の耐震装置の実施例１において、隅部用補強部材を基礎に固定して、建造物の隅部に取付けた状態を示す要部の正面図である。
【図４】本発明建造物の耐震装置の実施例１において、隅部用補強部材を建造物の隅部に取付けた状態を示す横断面図である。
【図５】本発明建造物の耐震装置の実施例１において、入り隅部用補強部材を基礎上に立設固定して、建造物の入り隅部に取付けた状態を示す要部の正面図である。
【図６】本発明建造物の耐震装置の実施例１において、入り隅部用補強部材を建造物の入り隅部に取付けた状態を示す横断面図である。
【図７】本発明建造物の耐震装置の実施例１において、隅部用補強部材と入り隅部用補強部材を建造物に取付けた状態を示す概略平面図である。
【図８】本発明建造物の耐震装置の実施例１において、隅部用補強部材を建造物に取付けた状態を示す概略平面図である。
【図９】本発明建造物の耐震装置の実施例２において、耐震装置を構成する隅部用補強部材を建造物の隅部に取付けた状態を示す横断面図である。
【図１０】本発明建造物の耐震装置の実施例２において、隅部用補強部材と掛止プレート間に補強線条を交差して取付けた状態を示す正面図である。
【符号の説明】
【００２５】
１  基礎
２  梁
３  Ｌ型鋼材
４・４ａ〜４ｃ  垂直片
５・５ａ〜５ｃ  折曲片
６  連結金具
７  Ｌ型非重合コーナー部
８  プレート
９  固定金具
１０  仕上げ材
１１  ゴム板
１２  木ねじ
１３  柱材
２３  Ｌ型鋼材
２４  垂直片
２５  折曲片
２６  プレート
２７  柱材
２８  座金
３１  リング部
３２  リングボルト
３３  掛止部材
３４  掛止プレート
３５  補強線条
３６  フック部
Ｒ１・Ｒ３  隅部用補強部材  
Ｒ２  入り隅部用補強部材
Ｃ  隅部
Ｄ  入り隅部
Ｈ  建造物
【図１】
2005083145.tif 000003
【図２】
2005083145.tif 000004
【図３】
2005083145.tif 000005
【図４】
2005083145.tif 000006
【図５】
2005083145.tif 000007
【図６】
2005083145.tif 000008
【図７】
2005083145.tif 000009
【図８】
2005083145.tif 000010
【図９】
2005083145.tif 000011
【図１０】
2005083145.tif 000012